(57)【要約】【課題】ＩＰ網を用いた地上デジタル放送等のデジタル放送の再送信において、デジタル放送で運用される緊急警報放送システムと同等のシステムを簡易に実現する。【解決手段】再送信装置１００、受信装置１１０およびＩＰ網でデジタル放送再送信システムを構築する。再送信装置１００は、デジタル放送信号に含まれる緊急警報放送起動用フラグの値を判別し、判別結果に基づいて、デジタル放送信号を含むパケット化データをＩＰ網により再送信する際のポート番号を変更する。一方、受信装置１１０は、受信したパケット化データのポート番号を判別し、判別結果に基づいて緊急警報放送の受信処理を行うか否かを決定する。【選択図】図１
2007259268.tif 000002
【特許請求の範囲】
【請求項１】
受信したデジタル放送波からデジタル放送信号を取り出し、ＩＰ網により再送信する再送信装置と、前記再送信されたデジタル放送信号を受信する受信装置とを備えたデジタル放送再送信システムであって、
前記再送信装置は、前記デジタル放送信号に含まれる緊急警報放送起動用フラグの値を判別し、判別結果に基づいて、前記デジタル放送信号を含むパケット化データをＩＰ網により再送信する際の通信緒元を変更し、
前記受信装置は、ＩＰ網により再送信された前記パケット化データを受信すると共に、前記パケット化データの通信緒元を判別し、判別結果に基づいて緊急警報放送の受信処理を行うか否かを決定する
ことを特徴とするデジタル放送再送信システム。
【請求項２】
前記再送信装置は、前記緊急警報放送起動用フラグの値が、緊急警報放送が行われていることを示す場合、前記パケット化データをＩＰ網にマルチキャストで送信すると共に送信先のポート番号を変更し、
前記受信装置は、前記パケット化データを受信したポート番号を判別することを特徴とする請求項１に記載のデジタル放送再送信システム。
【請求項３】
前記再送信装置は、前記緊急警報放送起動用フラグの値が、緊急警報放送が行われていることを示す場合、前記パケット化データをＩＰ網にマルチキャストで送信すると共に送信先のマルチキャストアドレスを変更し、
前記受信装置は、前記パケット化データを受信したマルチキャストアドレスを判別することを特徴とする請求項１に記載のデジタル放送再送信システム。
【請求項４】
前記受信装置は、更にデジタル放送信号からＰＭＴ（Program Map Table）を抽出し、前記ＰＭＴに記載される緊急警報記述子の有無および内容を判別し、判別結果を緊急警報放送の受信処理を行うか否かの決定に反映させることを特徴とする請求項１〜３のいずれかに記載のデジタル放送再送信システム。
【請求項５】
前記再送信装置は、更に取り出したデジタル放送信号からＰＭＴ（Program Map Table）を抽出し、前記ＰＭＴに記載される緊急警報記述子の有無および内容を判別し、判別結果を前記通信緒元の変更に反映させることを特徴とする請求項１〜３のいずれかに記載のデジタル放送再送信システム。
【請求項６】
受信したデジタル放送波からデジタル放送信号を取り出し、ＩＰ網により再送信する再送信装置と、前記再送信されたデジタル放送信号を受信する受信装置とを備えたデジタル放送再送信システムであって、
前記再送信装置は、前記デジタル放送信号に含まれる緊急警報放送起動用フラグの値を判別し、判別結果に基づいて、前記デジタル放送信号を含むパケット化データを再送信する際の通信緒元とは異なる通信緒元を用いて、緊急警報放送が行われていることを示す通知信号を含むパケット化データをＩＰ網により送信し、
前記受信装置は、ＩＰ網により再送信された前記デジタル映像信号を含むパケット化データと共に、前記通知信号を含むパケット化データを受信した時は、前記通知信号を検出し、検出結果に基づいて緊急警報放送の受信処理を行う
ことを特徴とするデジタル放送再送信システム。
【請求項７】
前記再送信装置は、前記デジタル放送信号を含むパケット化データおよび前記通知信号を含むパケット化データを、ＩＰ網にマルチキャストで、かつ異なるポート番号に送信することを特徴とする請求項６に記載のデジタル放送再送信システム。
【請求項８】
受信したデジタル放送波からデジタル放送信号を取り出し、ＩＰ網により再送信する再送信装置であって、
デジタル放送波を受信してデジタル放送信号を復調する受信手段と、
前記取り出したデジタル放送信号に含まれる緊急警報放送起動用フラグの値を判別し、判別結果に基づいて緊急警報放送が行われていることを示す検出信号を出力する検出信号出力手段と、
前記検出信号に応じて、パケット化データをＩＰ網に送信する際の通信緒元を変更する通信制御手段と、
前記デジタル放送信号を含むパケット化データを作成し、前記ＩＰ網に送信する送信手段とを備えたことを特徴とする再送信装置。
【請求項９】
前記検出信号出力手段が、緊急警報放送が行われていることを示す検出信号を出力した場合、前記通信制御手段は、前記パケット化データをＩＰ網にマルチキャストで送信すると共に送信先のポート番号を変更するように制御することを特徴とする請求項８に記載の再送信装置。
【請求項１０】
前記検出信号出力手段が、緊急警報放送が行われていることを示す検出信号を出力した場合、前記通信制御手段は、前記パケット化データをＩＰ網にマルチキャストで送信すると共に送信先のマルチキャストアドレスを変更するように制御することを特徴とする請求項８に記載の再送信装置。
【請求項１１】
前記受信手段で取り出したデジタル放送信号からＰＭＴ（Program Map Table）を抽出し、前記ＰＭＴに記載された緊急警報記述子の有無および内容を判別し、判別結果を前記検出信号出力手段に出力して前記通信緒元の変更に反映させるＰＭＴ判別手段を更に備えたことを特徴とする請求項８〜１０のいずれかに記載の再送信装置。
【請求項１２】
受信したデジタル放送波からデジタル放送信号を取り出し、ＩＰ網により受信装置に再送信する再送信装置であって、
デジタル放送波を受信してデジタル放送信号を復調する受信手段と、
前記取り出したデジタル放送信号に含まれる緊急警報放送起動用フラグの値を判別し、判別結果に基づいて緊急警報放送が行われていることを示す検出信号を出力する検出信号出力手段と、
前記検出信号に応じて、緊急警報放送が含まれていることを示す通知信号を生成する信号生成手段と、
前記通知信号を含むパケット化データの通信緒元を、前記デジタル放送信号を含むパケット化データの通信緒元とは異なる値に設定する通信制御手段と、
前記デジタル放送信号を含むパケット化データおよび前記通知信号を含むパケット化データを作成し、前記ＩＰ網に送信する送信手段とを備えたことを特徴とする再送信装置。
【請求項１３】
前記通信制御手段は、前記デジタル放送信号を含むパケット化データおよび前記通知信号を含むパケット化データを、ＩＰ網にマルチキャストで、かつ異なるポート番号に送信するように制御することを特徴とする請求項１２に記載の再送信装置。
【請求項１４】
ＩＰ網により再送信されたデジタル放送信号を受信する受信装置であって、
再送信装置からＩＰ網により再送信された前記デジタル放送信号を含むパケット化データを受信する受信手段と、
前記受信手段における前記パケット化データの通信緒元を判別する判別手段と、
前記判別手段での判別結果に応じて緊急警報放送の受信処理を行う処理手段とを備えたことを特徴とする受信装置。
【請求項１５】
前記判別手段は、前記パケット化データを受信したポート番号を判別することを特徴とする請求項１４に記載の受信装置。
【請求項１６】
前記判別手段は、前記パケット化データを受信したマルチキャストアドレスを判別することを特徴とする請求項１４に記載の受信装置。
【請求項１７】
前記処理手段は、更に前記受信手段で受信したパケット化データから取り出されたデジタル放送信号からＰＭＴ（Program Map Table）を抽出し、前記ＰＭＴに記載される緊急警報記述子の有無および内容を判別し、判別結果を緊急警報放送の受信処理を行うか否かの決定に反映させることを特徴とする請求項１４〜１６のいずれかに記載の受信装置。
【請求項１８】
ＩＰ網により再送信されたデジタル放送信号を受信する受信装置であって、
再送信装置からＩＰ網により再送信された前記デジタル放送信号を含むパケット化データおよび、前記デジタル放送信号に緊急警報放送が含まれていることを示す通知信号を含むパケット化データを受信する受信手段と、
前記受信手段で受信したパケット化データに前記通知信号が含まれていることを判別する判別手段と、
前記判別手段での判別結果に応じて緊急警報放送の受信処理を行う処理手段とを備えたことを特徴とする受信装置。
【請求項１９】
前記受信手段は、前記通知信号を含むパケット化データを、前記デジタル放送信号を含むパケット化データとは異なるポートで受信することを特徴とする請求項１８に記載の受信装置。
【請求項２０】
受信したデジタル放送波からデジタル放送信号を取り出し、ＩＰ網により再送信する再送信装置として機能させるためのコンピュータプログラムであって、
デジタル放送波を受信してデジタル放送信号を復調する受信手段と、
前記取り出したデジタル放送信号に含まれる緊急警報放送起動用フラグの値を判別し、判別結果に基づいて緊急警報放送が行われていることを示す検出信号を出力する検出信号出力手段と、
前記検出信号に応じて、パケット化データをＩＰ網に送信する際の通信緒元を変更する通信制御手段と、
前記デジタル放送信号を含むパケット化データを作成し、前記ＩＰ網に送信する送信手段として機能させるためのコンピュータプログラム。
【請求項２１】
受信したデジタル放送波からデジタル放送信号を取り出し、ＩＰ網により再送信する再送信装置として機能させるためのコンピュータプログラムであって、
デジタル放送波を受信してデジタル放送信号を復調する受信手段と、
前記取り出したデジタル放送信号に含まれる緊急警報放送起動用フラグの値を判別し、判別結果に基づいて緊急警報放送が行われていることを示す検出信号を出力する検出信号出力手段と、
前記検出信号に応じて、緊急警報放送が含まれていることを示す通知信号を生成する信号生成手段と、
前記通知信号を含むパケット化データの通信緒元を、前記デジタル放送信号を含むパケット化データの通信緒元とは異なる値に設定する通信制御手段と、
前記デジタル放送信号を含むパケット化データおよび前記通知信号を含むパケット化データを作成し、前記ＩＰ網に送信する送信手段として機能させるためのコンピュータプログラム。
【請求項２２】
ＩＰ網により再送信されたデジタル放送信号を受信する受信装置として機能させるためのコンピュータプログラムであって、
再送信装置からＩＰ網により再送信された前記デジタル放送信号を含むパケット化データを受信する受信手段と、
前記受信手段における前記パケット化データの通信緒元を判別する判別手段と、
前記判別手段での判別結果に応じて緊急警報放送の受信処理を行う処理手段として機能させるためのコンピュータプログラム。
【請求項２３】
ＩＰ網により再送信されたデジタル放送信号を受信する受信装置として機能させるためのコンピュータプログラムであって、
再送信装置からＩＰ網により再送信された前記デジタル放送信号を含むパケット化データおよび、前記デジタル放送信号に緊急警報放送が含まれていることを示す通知信号を含むパケット化データを受信する受信手段と、
前記受信手段で受信したパケット化データに前記通知信号が含まれていることを判別する判別手段と、
前記判別手段での判別結果に応じて緊急警報放送の受信処理を行う処理手段として機能させるためのコンピュータプログラム。
【発明の詳細な説明】
【技術分野】
【０００１】
本発明はデジタル放送の再送信システムに関し、特に、ＩＰ(Internet Protocol)ネットワーク（以下、ＩＰ網と記す）を用いて、地上デジタル放送等のデジタル放送信号を再送信する際に、緊急警報放送に関する情報の伝送を可能にするデジタル放送再送信システムに関する。
【背景技術】
【０００２】
２０００年１２月のＢＳデジタル放送の開始に続き、２００３年１２月からは地上デジタル放送も開始されている。これらのデジタル放送の運用では、緊急警報放送システムが定義されている。
【０００３】
緊急警報放送システムでは、大地震、津波などの人的被害に関係するような大災害が予想される場合に放送される緊急警報放送の開始を受信装置に知らせることで、受信装置が自動的に緊急警報放送を受信することが可能である。
【０００４】
以下、デジタル放送の緊急警報放送の運用について、ＢＳデジタル放送を例に説明する。
【０００５】
ＢＳデジタル放送では、複数の放送事業者からのＭＰＥＧ２−ＴＳ（Transport Stream）がフレームという単位で一つの信号にまとめられる。ＭＰＥＧ２−ＴＳは、ＴＳパケットが連続した信号列である。図１１に示す通り、ＴＳパケットは、１８８バイトで構成される。先頭の４バイトはヘッダと呼ばれる。ヘッダの先頭の１バイトは、ＴＳパケットの先頭を示す同期バイトである。ヘッダには、同期バイトのほか、ＰＩＤ（Packet ID）やパケットの性質を規定する情報などが記載されている。ヘッダに続く１８４バイトがアダプテーションフィールドおよび／またはペイロード、すなわちデータ領域である。アダプテーションフィールドは映像や音声などのデータを格納し、ペイロードはＰＳＩ（Program Specific Information）を格納する。ヘッダに記載されている情報により、アダプテーションフィールドであるかペイロードであるかを区別する。
【０００６】
図１２はフレームを示す。フレームは、４８個のスロット（スロット＃１〜スロット＃４８）で構成される。スロットは、ＭＰＥＧ２−ＴＳを構成する１８８バイトのＴＳパケットにリード・ソロモン誤り訂正外符号１６バイトを付加した２０４バイトで構成される。
【０００７】
スロット＃１〜スロット＃１２の先頭の１バイト（ＴＳパケットにおける同期バイト）には、フレーム同期信号、ＴＭＣＣ（Transmission and Multiplexing Configuration Control）情報が割り当てられる。スロット＃１、スロット＃２の先頭バイトにはフレーム前同期信号が割り当てられ、スロット＃３〜スロット＃１０の先頭バイトにはＴＭＣＣ情報が割り当てられ、スロット＃１１、スロット＃１２の先頭バイトには、フレーム後同期信号が割り当てられる。スロットは、変調方式の区分と複数ＭＰＥＧ２−ＴＳの区分の最小単位であり、ＴＭＣＣ情報にスロット毎の変調方式、トランスポートストリーム番号等が記載されており、復調可能とされている。
【０００８】
フレーム信号は、スーパーフレーム周期でエネルギー拡散、インタリーブの処理を行う。図１３にスーパーフレームの構成を示す。８フレーム（フレーム＃１〜フレーム＃８）により、スーパーフレームが構成される。各フレームのスロット＃１〜スロット＃１２には、上述したようにフレーム同期信号、ＴＭＣＣ情報が付加されて、内符号誤り訂正、変調がなされる。フレーム＃７，フレーム＃８のスロット＃３〜スロット＃１０には、ＴＭＣＣパリティとして、リード・ソロモン（６４，４８）が割り当てられる。したがって、ＴＭＣＣは、８×６＝４８バイト、すなわち３８４ビットで構成される。
【０００９】
上述したように、ＴＭＣＣ情報には、スロット毎の変調方式やトランスポートストリーム番号等の情報が記載されている。受信装置は、まず、ＴＭＣＣ情報を取得して、電波の復調、受信するトランスポートストリームの選択を行う。ＢＳデジタル放送は、複数変調方式であり、トランスポートストリームを８ＰＳＫ（Phase Shift Keying）、ＱＰＳＫ（Quadrature Phase Shift Keying）等で変調するが、ＴＭＣＣ情報は重要な情報であるため、ＴＭＣＣを送る部分の変調方式には、これら８ＰＳＫ、ＱＰＳＫよりも低階層であり降雨や雑音に強いＢＰＳＫ（Binary Phase Shift Keying）が用いられる。
【００１０】
ＴＭＣＣの所定位置には、緊急警報放送の開始を知らせる緊急警報放送起動用フラグが設けられている。緊急警報放送起動用フラグは、緊急警報放送の放送を開始する際または緊急警報放送のテストの際に「１」とされ、緊急警報放送を放送またはテストしている間は「１」の状態とされる。放送受信装置では、緊急警報放送起動用フラグが「１」であること、すなわち立っていることを検出した場合に、緊急警報放送起動用フラグが検出されたとされる。緊急警報放送起動用フラグは、ＴＭＣＣの所定位置に存在するため、スーパーフレームの周期で伝送される。
【００１１】
緊急警報放送システムは、上記のＴＭＣＣの緊急警報放送起動用フラグと合わせて、ＰＭＴ（Program Map Table）の緊急警報放送記述子により実現している。放送事業者は、緊急警報放送を開始する場合、ＰＭＴの緊急放送記述子に「start_end_flag」、地震、津波等の種別、地域符号等の条件を設定して送出し、ＴＭＣＣの緊急警報放送起動用フラグを「１」として送出する。そして、緊急警報放送を開始する。緊急警報放送を終了する場合には、放送事業者は、ＴＭＣＣの緊急警報放送起動用フラグを「０」として送出し、ＰＭＴから緊急警報放送記述子を削除する。
【００１２】
以上のようにして、デジタル放送での緊急警報放送システムが実用化され運用されている。なお、地上デジタル放送では、ＢＳデジタル放送と伝送路符号化方式が異なるが、ＴＭＣＣの緊急警報放送起動用フラグ等を利用する緊急警報放送システムの仕組みについては、上述したＢＳデジタル放送の場合と同様である。
【００１３】
近年では、地上デジタル放送などのデジタル放送を、ケーブルテレビ（以下、ＣＡＴＶと略す）網へ再送信するサービスも実現されており、ＣＡＴＶ加入者もデジタル放送の提供するサービスを受信することができる。
【００１４】
例えば地上デジタル放送をＣＡＴＶ網へ再送信する場合、ＣＡＴＶでの１伝送チャネル当たりの帯域幅は、地上デジタル放送の１伝送チャネル当たりの帯域幅よりも広いため、変調方式をＣＡＴＶに適した変調方式に変換し、デジタル放送信号中の番組配列情報を一部変更するのみで、地上デジタル放送に含まれる全ての信号をそのままＣＡＴＶ網に伝送できる。よって、ＣＡＴＶ網で地上デジタル放送のすべてのサービスを伝送することは比較的容易である。
【００１５】
デジタル放送をＣＡＴＶ網へデジタル再送信するための変調方式は複数存在する。例えば非特許文献１は、トランスモジュレーション（変調変換）方式を用いた地上デジタル放送のＣＡＴＶ網への再送信方法を開示している。
【００１６】
デジタル放送を再送信する場合には、ＴＭＣＣによる緊急警報放送起動用フラグの伝送が行えないため、トランスモジュレーション方式では、緊急警報放送起動用フラグを伝送する方式として複数ＴＳ伝送方式による伝送を行っている。例えば非特許文献２は、複数ＴＳ伝送方式を用いたＴＳＭＦヘッダによる緊急警報放送起動用フラグの伝送方法を開示している。非特許文献２の複数ＴＳ伝送方式における多重フレームヘッダの構成を図１４に示す。
【００１７】
多重フレームヘッダには、ＴＳパケットの配置を示す情報や、デジタル放送の伝送多重制御情報（ＴＭＣＣ）内の情報など、必要な情報を格納する。この多重フレームを連続して出力することにより、複数ＴＳが多重された信号を得る。多重フレームに多重できるＴＳ数は最大１５である。多重フレームヘッダも先頭のバイトが０ｘ４７で１８８バイトの大きさとすることで、既存のデジタル有線テレビジョン放送方式の伝送路符号化方式を使用可能にしている。多重フレームのスロット数５３は、ＴＳパケットを静的配置にした場合にＢＳデジタル放送のＴＳを効率よく伝送できる値を選定している。
【００１８】
多重フレームに多重できるＴＳ数は、ＢＳデジタル放送の１中継器が最大８ＴＳまで多重可能なことや、他の放送ＴＳも一緒に多重することを考慮して、最大１５としている。
【００１９】
ＴＭＣＣ情報内の情報が伝送される多重フレームヘッダの構成を図１５に示す。図１５におけるemergency_indicator１５０１が緊急警報放送起動用フラグに相当し、これによりデジタル放送の再送信においても緊急警報放送起動用フラグを伝送することができるようになる。なお、ＰＭＴの緊急警報記述子の伝送については、再送信の場合にもそのまま再送信されるため考慮の必要はない。
【００２０】
以上のように非特許文献１は、地上デジタル放送などの放送サービスと同様の放送サービスをＣＡＴＶにおいても可能とする。また、非特許文献２は、デジタル放送の再送信時に、デジタル放送のＴＭＣＣ情報に記述される緊急警報放送起動用フラグの伝送を可能にする。このようにして、ＣＡＴＶにおけるデジタル放送の再送信サービスにおいて、緊急警報放送システムを実現している。
【非特許文献１】日本ケーブルラボ  「ＪＣＬSPEC-0071.0版地上デジタルテレビジョン放送トランスモジュレーション運用仕様」（日本）
【非特許文献２】社団法人日本ＣＡＴＶ技術協会  「ＪＣＴＥＡSTD-007-3.0デジタル優先テレビジョン放送  BS/広帯域CSおよび地上デジタル対応受信装置」（日本）
【発明の開示】
【発明が解決しようとする課題】
【００２１】
上述したように、ＣＡＴＶ網にデジタル放送を再送信する場合の緊急警報放送システムを実現するための障壁は低いと思われる。その一方で、現在、２０１１年の地上アナログ放送の終了に備え、地上デジタル放送の電波が届かない地域などを対象にＩＰ網を利用した地上デジタル放送の再送信サービスが検討されている。ＩＰ網を用いた再送信の場合には上述した複数ＴＳ伝送方式の適用は難しいため、ＩＰ網における緊急警報放送システムの実現が課題となっている。
【００２２】
本発明は、ＩＰ網を用いた地上デジタル放送等のデジタル放送の再送信において、デジタル放送で運用されている緊急警報放送システムと同等のシステムを簡易な方法で実現するものである。
【課題を解決するための手段】
【００２３】
本発明の第１のデジタル放送再送信システムは、
受信したデジタル放送波からデジタル放送信号を取り出し、ＩＰ網により再送信する再送信装置と、前記再送信されたデジタル放送信号を受信する受信装置とを備えたデジタル放送再送信システムであって、
前記再送信装置は、前記デジタル放送信号に含まれる緊急警報放送起動用フラグの値を判別し、判別結果に基づいて、前記デジタル放送信号を含むパケット化データをＩＰ網により再送信する際の通信緒元を変更し、
前記受信装置は、ＩＰ網により再送信された前記パケット化データを受信すると共に、前記パケット化データの通信緒元を判別し、判別結果に基づいて緊急警報放送の受信処理を行うか否かを決定することを特徴とする。
【００２４】
本発明の第１のデジタル放送再送信システムにおいて、前記再送信装置は、前記緊急警報放送起動用フラグの値が、緊急警報放送が行われていることを示す場合、前記パケット化データをＩＰ網にマルチキャストで送信すると共に送信先のポート番号を変更し、前記受信装置は、前記パケット化データを受信したポート番号を判別することが好ましい。
【００２５】
または、前記再送信装置は、前記緊急警報放送起動用フラグの値が、緊急警報放送が行われていることを示す場合、前記パケット化データをＩＰ網にマルチキャストで送信すると共に送信先のマルチキャストアドレスを変更し、前記受信装置は、前記パケット化データを受信したマルチキャストアドレスを判別することが好ましい。
【００２６】
また本発明の第１のデジタル放送再送信システムにおいて、前記受信装置は、更にデジタル放送信号からＰＭＴを抽出し、前記ＰＭＴに記載される緊急警報記述子の有無および内容を判別し、判別結果を緊急警報放送の受信処理を行うか否かの決定に反映させることが好ましい。もしくは、前記再送信装置は、更に取り出したデジタル放送信号からＰＭＴを抽出し、前記ＰＭＴに記載される緊急警報記述子の有無および内容を判別し、判別結果を前記通信緒元の変更に反映させることが好ましい。
【００２７】
本発明の第２のデジタル放送再送信システムは、
受信したデジタル放送波からデジタル放送信号を取り出し、ＩＰ網により再送信する再送信装置と、前記再送信されたデジタル放送信号を受信する受信装置とを備えたデジタル放送再送信システムであって、
前記再送信装置は、前記デジタル放送信号に含まれる緊急警報放送起動用フラグの値を判別し、判別結果に基づいて、前記デジタル放送信号を含むパケット化データを再送信する際の通信緒元とは異なる通信緒元を用いて、緊急警報放送が行われていることを示す通知信号を含むパケット化データをＩＰ網により送信し、
前記受信装置は、ＩＰ網により再送信された前記デジタル映像信号を含むパケット化データと共に、前記通知信号を含むパケット化データを受信した時は、前記通知信号を検出し、検出結果に基づいて緊急警報放送の受信処理を行うことを特徴とする。
【００２８】
本発明の第２のデジタル放送再送信システムにおいて、前記再送信装置は、前記デジタル放送信号を含むパケット化データおよび前記通知信号を含むパケット化データを、ＩＰ網にマルチキャストで、かつ異なるポート番号に送信することが好ましい。
【００２９】
次に、上記システムに対応した本発明の第１の再送信装置は、
受信したデジタル放送波からデジタル放送信号を取り出し、ＩＰ網により再送信する再送信装置であって、
デジタル放送波を受信してデジタル放送信号を復調する受信手段と、
前記取り出したデジタル放送信号に含まれる緊急警報放送起動用フラグの値を判別し、判別結果に基づいて緊急警報放送が行われていることを示す検出信号を出力する検出信号出力手段と、
前記検出信号に応じて、パケット化データをＩＰ網に送信する際の通信緒元を変更する通信制御手段と、
前記デジタル放送信号を含むパケット化データを作成し、前記ＩＰ網に送信する送信手段とを備えたことを特徴とする。
【００３０】
また、本発明の第２の再送信装置は、
受信したデジタル放送波からデジタル放送信号を取り出し、ＩＰ網により受信装置に再送信する再送信装置であって、
デジタル放送波を受信してデジタル放送信号を復調する受信手段と、
前記取り出したデジタル放送信号に含まれる緊急警報放送起動用フラグの値を判別し、判別結果に基づいて緊急警報放送が行われていることを示す検出信号を出力する検出信号出力手段と、
前記検出信号に応じて、緊急警報放送が含まれていることを示す通知信号を生成する信号生成手段と、
前記通知信号を含むパケット化データの通信緒元を、前記デジタル放送信号を含むパケット化データの通信緒元とは異なる値に設定する通信制御手段と、
前記デジタル放送信号を含むパケット化データおよび前記通知信号を含むパケット化データを作成し、前記ＩＰ網に送信する送信手段とを備えたことを特徴とする。
【００３１】
更に、上記システムに対応した本発明の第１の受信装置は、
ＩＰ網により再送信されたデジタル放送信号を受信する受信装置であって、
再送信装置からＩＰ網により再送信された前記デジタル放送信号を含むパケット化データを受信する受信手段と、
前記受信手段における前記パケット化データの通信緒元を判別する判別手段と、
前記判別手段での判別結果に応じて緊急警報放送の受信処理を行う処理手段とを備えたことを特徴とする。
【００３２】
また、本発明の第２の受信装置は、
ＩＰ網により再送信されたデジタル放送信号を受信する受信装置であって、
再送信装置からＩＰ網により再送信された前記デジタル放送信号を含むパケット化データおよび、前記デジタル放送信号に緊急警報放送が含まれていることを示す通知信号を含むパケット化データを受信する受信手段と、
前記受信手段で受信したパケット化データに前記通知信号が含まれていることを判別する判別手段と、
前記判別手段での判別結果に応じて緊急警報放送の受信処理を行う処理手段とを備えたことを特徴とする。
【００３３】
また本発明は、上記再送信装置や受信装置の一部もしくは全部の機能を、コンピュータを用いて実現するコンピュータプログラムを含む。
【発明の効果】
【００３４】
本発明にかかるデジタル放送再送信システムは、地上デジタル放送などのデジタル放送信号をＩＰ網を利用して再送信する場合に、デジタル放送で運用されている緊急警報放送システムと同等のシステムを簡易に実現できるという効果を有する。
【発明を実施するための最良の形態】
【００３５】
以下、本発明の実施の形態について図面を参照しながら説明する。
【００３６】
（実施の形態１）
図１は、本発明の実施の形態１によるデジタル放送再送信システムの構成を示すブロック図である。再送信システムは、基本的に、再送信装置１００、受信装置１１０およびＩＰ網１２０で構成されている。
【００３７】
図１において、再送信装置１００は、デジタル放送波を受信し、受信したデジタル放送波からデジタル放送信号を復調して取り出し、ＩＰ網に対し再送信する再送信装置である。
【００３８】
再送信装置１００は、地上デジタル放送のデジタル放送波を受信する受信部１０１と、受信部１０１で受信したデジタル放送波の緊急警報起動用フラグのオン／オフを判定する起動フラグ判定部１０４と、起動フラグ判定部１０４が出力する信号に応じて緊急警報の検出信号を出力する検出信号出力部１０５と、検出信号出力部１０５の出力に応じて通信部１０３の通信緒元を制御する出力ポート制御部１０６と、デジタル放送のトランスポートストリームを再送信処理するＴＳ処理部１０２と、ＴＳ処理部１０２で処理したトランスポートストリームをＩＰパケット化し、ＩＰ網１２０へ再送信する通信部１０３と、を有する。
【００３９】
受信部１０１はアンテナ等を備えており、空気中を伝播する放送波を受信することができ、または、所定の伝送網もしくは通信網に接続し、伝送網もしくは通信網中を伝送されるデジタル放送波を受信することもできる。また、受信部１０１は、再送信を行う通信手段であるＩＰ網（再送信用ＩＰ網）の帯域幅と同等もしくはさらに広い帯域幅を有するＩＰ網（受信用ＩＰ網）からデジタル放送信号を受信することができる。その場合、再送信装置は、受信したデジタル放送信号を、再送信用ＩＰ網へ再送信する。
【００４０】
一方、受信装置１１０は、ＩＰ網からＩＰパケットを受信し、ＩＰパケットに含まれるデジタル放送信号を取り出す通信部１１１と、通信部１１１で受信したＩＰパケットの通信緒元を判定する受信ポート判定部１１４と、受信ポート判定部１１４での判定結果にしたがって緊急警報放送受信のための処理を行う緊急警報処理部１１５と、受信したデジタル放送信号のトランスポートストリームを処理する信号処理部１１２と、信号処理部１１２で処理したトランスポートストリームを図示しない表示部等へ出力する信号出力部１１３と、を有する。
【００４１】
なお、本実施の形態の再送信装置１００において、受信部１０１は本発明の受信手段を構成する。同様に、起動フラグ判定部１０４および検出信号出力部１０５は検出信号出力手段を構成し、出力ポート制御部１０６は通信制御手段を構成し、ＴＳ処理部１０２および通信部１０３は送信手段を構成する。また受信装置１１０において、通信部１１１は本発明の受信手段を構成し、受信ポート判定部１１４は判別手段を構成し、信号処理部１１２および緊急放送処理部１１５は処理手段を構成する。
【００４２】
以下、まず本実施の形態における再送信装置の動作について説明する。概説すれば、再送信装置１００は、デジタル放送信号のＴＭＣＣ情報を復号し、ＴＭＣＣ情報内の緊急警報放送起動用フラグのＯＮ／ＯＦＦ（１か０）を判別し、緊急警報放送起動用フラグが１の場合に、デジタル放送信号をＩＰ網へマルチキャストで再送信する場合のポート番号の切り換えを行う。
【００４３】
再送信装置１００の動作について図面を参照して詳述する。図２は、再送信装置１００が緊急警報放送起動用フラグを判別し、マルチキャストでデジタル放送を再送信する場合のポート番号の切り換えに関するフローチャートである。
【００４４】
出力ポート制御部１０６は、まずデジタル放送波をＩＰ網１２０へＵＤＰ（User Datagram Protocol）によるマルチキャストで再送信するためのマルチキャストアドレスとポート番号を設定する。ここではポート番号を２００番として設定している（ステップＳ２０１）。
【００４５】
受信部１０１は、デジタル放送波を受信し、受信したデジタル放送波を復調してデジタル放送信号を取り出し、デジタル放送信号からＴＭＣＣ情報を復号する。起動フラグ判定部１０４では、ＴＭＣＣ情報中の緊急警報放送起動用フラグをチェックし、そのフラグ値が１（ＯＮ）かどうかを判定する。１の場合にはそれを示す信号を検出信号出力部１０５に出力する。検出信号出力部１０５では、起動フラグ判定部１０４からの出力信号に基づき、緊急警報放送が行われていることを示す検出信号を出力ポート制御部１０６に出力する（ステップＳ２０２）。
【００４６】
出力ポート制御部１０６では、検出信号出力部１０５からの検出信号に基づき、デジタル放送を再送信する際の通信緒元であるポート番号の切り換えを行うよう、通信部１０３を制御する。具体的には、ＵＤＰのポート番号を２００番から２０１番に切り換える（ステップＳ２０３）。
【００４７】
以上の処理により、緊急警報放送起動用フラグが１になった場合に、再送信装置１００はデジタル放送波を再送信するポート番号を変更することが可能になる。
【００４８】
次に、受信装置１１０の動作について図面を参照して詳述する。図３は、受信装置１１０がＩＰ網１２０からデジタル放送信号を受信する際の通信緒元から緊急警報放送が行われているか否かを判別し、緊急警報放送受信の処理を行う際のフローチャートである。
【００４９】
通信部１１１は、デジタル放送信号を含むＩＰパケットを受信するためのＵＤＰ待ちうけポート番号を２種類準備しポートをオープンする。ここでは２００番と２０１番をオープンし、２００番ポートを通常受信用、２０１番を緊急警報放送起動用フラグが１になった場合の受信用としている（ステップＳ３０１）。
【００５０】
受信ポート判定部１１４では、通信部１１１で受信したデジタル放送信号が２００番および２０１番のどちらのポートで受信したかの判定を行い、緊急警報放送起動用フラグが１の場合に伝送される２０１番ポートで受信したことを検出すると、緊急警報処理部１１５にその結果を出力する（ステップＳ３０２）。
【００５１】
緊急警報処理部１１５では、地上デジタル放送の運用で定められている緊急警報放送起動用フラグが１になった場合の処理を行う。例えば、信号処理部１１２で処理されたデジタル放送信号の中からＰＭＴを抽出し、ＰＭＴ中から緊急情報記述子の有無を判定するとともに、緊急情報記述子が存在した場合には、緊急情報記述子中のstart_end_flagの値をチェックする。フラグの値が１の場合には受信中の地上デジタル放送において緊急警報放送が運用されていると判断し、緊急警報放送を受信するなどの処理を行う（ステップＳ３０３）。
【００５２】
以上の処理により、受信装置１１０は、受信したポート番号を判別することによって緊急警報放送起動用フラグのＯＮ／ＯＦＦを検出することができる。
【００５３】
以上説明したデジタル放送再送信システムの動作の概要を図４に示す。地上デジタル放送で緊急警報放送起動用フラグが１になった場合に、再送信装置１００でＵＤＰポート番号を切り換えることにより、また受信装置１１０においては受信するＵＤＰのポート番号を判別することにより、簡易に緊急警報放送起動用フラグの値を判別し、緊急警報放送が行われているかどうかを容易に判定できる。従って、ＩＰ網へデジタル放送信号を再送信する場合に、地上デジタル放送で運用されている緊急警報放送システムと同等のシステムを実現することができる。
【００５４】
以上説明した本実施の形態では、通信緒元として再送信するＵＤＰのポート番号を切り換えて送信し、受信装置で受信した際のポート番号を判別することにより緊急警報放送起動用フラグの値を判別できるようにしている。一方、通信緒元として、マルチキャストで配信する際のマルチキャストアドレスがある。ポート番号を切り替えるのではなく、マルチキャストアドレスを変更することにしても、上記と同様の効果が得られる。
【００５５】
マルチキャストアドレスを変更して緊急警報放送システムを実現する場合のデジタル放送再送信システムの構成を図５に示す。なお、図中、図１と同一機能を有する部分には同一符号を付して説明を省略する。以後の説明においても同様とする。
【００５６】
図５において、再送信装置１００の出力マルチキャストアドレス制御部５０１は、緊急警報放送起動用フラグが１の場合に出力される検出信号出力部１０５の出力信号に従って、再送信する際のマルチキャストアドレスの変更制御を通信部１０３に対して行う。
【００５７】
一方、受信装置５１０のマルチキャストアドレス判定部５１１は、受信したＩＰパケットのマルチキャストアドレスを判別し、緊急警報放送起動用フラグが１の場合に用いられるマルチキャストアドレスだと判定した場合には、緊急警報処理部１１５に対して、緊急警報放送が行われていることを示す信号を出力する。
【００５８】
従って、あらかじめ緊急警報放送送信用のマルチキャストアドレスを設定しておけば、通信緒元としてマルチキャストアドレスを判別することによって、緊急警報放送起動用フラグの値を判定することができ、ポート番号を切り替えて送信する場合と同様に、デジタル放送で運用されている緊急警報放送システムと同等のシステムを簡易に実現することができる。なお、通信緒元としてポート番号およびマルチキャストアドレスを例に説明したが、通信緒元としてはこれに限定されるものではなく、他の通信緒元を用いて判定する構成としてもかまわない。
【００５９】
（実施の形態２）
本実施の形態における再送信装置は、実施の形態１の再送信装置と同様の構成を備え、更にデジタル放送信号に含まれるＰＭＴの緒言をチェックするＰＭＴ処理部を備えている。
【００６０】
図６は本実施の形態における再送信装置の構成を示すブロック図である。概説すると、再送信装置６００において、デジタル放送信号のＰＭＴを抽出し、ＰＭＴ中の緒言の確認結果とＴＭＣＣの緊急警報放送起動用フラグの両方でポート番号を制御する検出信号を出力する。なお、受信装置の構成は実施の形態１の受信装置１１０と変わらないため、図では省略している。
【００６１】
以下、本実施の形態の再送信装置の動作について、図７を用いて詳説する。図７は再送信装置におけるポート番号の切り換えに関するフローチャートである。
【００６２】
出力ポート制御部１０６は、まず、デジタル放送波をＩＰ網１２０へＵＤＰによるマルチキャストで再送信するためのマルチキャストアドレスとポート番号を設定する。ここではポート番号を２００番として設定している（ステップＳ７０１）。
【００６３】
ＰＭＴ処理部６０１は、デジタル放送信号からＰＭＴを抽出し、ＰＭＴ中に記載される緊急情報記述子をチェックする（ステップＳ７０３）。緊急情報記述子中のstart_end_flagが１の場合に、緊急警報放送が運用されていることを示す信号を検出信号出力部１０５に出力する（ステップＳ７０４でＹＥＳ）。
【００６４】
検出信号出力部１０５では、緊急警報放送起動用フラグが１の場合に出力される起動フラグ判定部１０４における判定（ステップＳ７０２）と、ＰＭＴ処理部６０１からの検出信号の両方から出力ポート制御部１０６に対して検出信号を出力する（ステップＳ７０５）。これにより、再送信装置１００は、ＰＭＴの緒言をチェックすることで、緊急警報放送起動用フラグが１になり、かつ地上デジタル放送において実際に緊急警報放送が運用されている場合にのみ、ポート番号の切り換え制御を行う。
【００６５】
上記再送信装置から再送信されるデジタル放送信号を受信する受信装置においては、ポート判別およびＰＭＴの緒言チェックの両方で緊急警報放送の有無を判定していた場合に比べ、ポート判別のみで緊急警報放送の運用の有無が判別できるようになり、より簡易な構成で受信装置が実現できる。
【００６６】
また、緊急警報放送の運用の有無がＩＰ網からＩＰパケットを受信する通信部１１１の動作のみで判別できるため、電源スタンバイ時などでも、通信部１１１のみ最小限の電力で動作させておけば、電源オン時と同様に緊急警報放送の有無を判別することができ、省電力な緊急警報放送システム対応の受信装置を実現できる。
【００６７】
もちろん実施の形態１に示したマルチキャストアドレスなどの通信緒元の変更の場合と同様に、本実施の形態においても、ポート番号以外の通信緒元の変更を利用することができるのは云うまでのない。なお、本実施の形態のＰＭＴ処理部６００は、本発明のＰＭＴ判別手段を構成している。
【００６８】
（実施の形態３）
本実施の形態におけるデジタル放送再送信システムは、実施の形態１のデジタル放送再送信システムと同様の構成を備え、更に緊急警報通知コマンドを送信および受信する機能を備えている。
【００６９】
図８は本実施の形態におけるデジタル放送再送信システムの構成を示すブロック図である。図８において、再送信装置８００の信号生成部８０２は緊急警報通知コマンド生成手段である。また受信装置８１０の通信部８１１は緊急警報通知コマンド受信手段を備えている。
【００７０】
再送信装置８００の動作について、図９を用いて詳説する。図９は再送信装置８００において緊急警報通知コマンドを送信する際の動作を示すフローチャートである。
【００７１】
再送信装置８００において、起動フラグ判定部１０４で緊急警報放送用起動フラグの値をＴＭＣＣ情報から判別し、判別信号を検出信号出力部１０５に出力するまでは、実施の形態１における動作と同様である（ステップＳ９０１〜ステップＳ９０２）。
【００７２】
検出信号出力部１０５は、緊急警報放送起動用フラグが１になっていることを示す信号が入力された場合、信号生成部８０２に対して緊急警報通知コマンドの生成を要求すると同時に、通信制御部８０１に対して信号生成部８０２で生成した緊急警報通知コマンドを送信するよう制御する（ステップＳ９０５）。なお、すでに緊急警報通知コマンドを送信済みの場合、検出信号出力部１０５は、緊急警報通知コマンドの送信回数をカウントし（ステップＳ９０７）、規定回数送信できるよう信号生成部８０２および通信制御部８０１の制御を行う（ステップＳ９０４）。
【００７３】
通信制御部８０１は、緊急警報通知コマンドを送信するために、通信部１０３においてデジタル放送を再送信するためのポート番号２００番とは別の緊急警報通知コマンド送信用のポート番号２０１番によりコマンドを送信させる制御を行う（ステップＳ９０６）。従って通信部１０３からは、デジタル放送信号を含むＩＰパケットがポート番号２００番に対し送信され、緊急警報通知コマンドを含むＩＰパケットがポート番号２０１番に対し送信される。
【００７４】
以上の処理により、再送信装置８００は、緊急警報放送起動用フラグが１になった場合に、デジタル放送再送信の通信緒元とは別の通信緒元を用いて、受信装置８１０に対して緊急警報通知コマンドを送信する。
【００７５】
次に、受信装置８１０の動作について、図１０を用いて詳説する。図１０は受信装置８１０において緊急警報通知コマンドを受信し、緊急警報放送受信動作を行う際のフローチャートである。
【００７６】
受信装置８１０において、通信部８１１はデジタル放送信号を含むＩＰパケットを受信するポート番号２００番と、緊急警報通知コマンドを含むＩＰパケットを受信するポート番号２０１番をオープンする（ステップＳ１００１）。通信部８１１は、緊急警報通知コマンドを受信した場合、緊急警報処理部８１２に対して緊急警報通知コマンドを受信した旨を示す信号を出力する（ステップＳ１００２）。緊急警報処理部１１５では、緊急警報放送を受信するための処理として、実施の形態１で説明したのと同様の処理を行う。
【００７７】
以上の処理により、受信装置８１０は、緊急警報通知コマンドを受信することによって緊急警報放送を受信することができる。従って、本実施の形態のデジタル放送再送信システムにより、ＩＰ網にデジタル放送信号を再送信する場合にも、デジタル放送で運用される緊急警報放送システムと同等のシステムを簡易な構成で実現することができる。
【００７８】
なお、本実施の形態において、再送信装置８００の通信制御部８０１は本発明の通信制御手段を構成し、信号生成部８０２は本発明の信号生成手段を構成する。更に受信装置８１０の通信部８１１は本発明の受信手段と判別手段の両方の機能を備えている。
【００７９】
また、上記各実施の形態において、地上デジタル放送を再送信する場合の例を示したが、本発明は、ＢＳデジタル放送やＣＳデジタル放送等の他のデジタル放送を再送信する場合にも適用可能であり、更に、ＣＡＴＶ網等により伝送される放送波を再送信する場合にも適用可能なことは云うまでもない。
【００８０】
また、上記各実施の形態における再送信装置や受信装置の一部もしくは全部の機能をコンピュータのプログラムで構成し、そのプログラムを、コンピュータを用いて実行して本発明を実現することができること、あるいは、各処理フローで示した処理手順をコンピュータのプログラムで構成し、そのプログラムをコンピュータに実行させることができることは云うまでもない。
【産業上の利用可能性】
【００８１】
本発明によれば、地上デジタル放送などのデジタル放送信号を、ＩＰ網を使って再送信する場合に、デジタル放送で運用されている緊急警報システムと同等のシステムを簡易に実現できるため、デジタル放送の再送信システムとして有用である。
【図面の簡単な説明】
【００８２】
【図１】本発明の実施の形態１におけるデジタル放送再送信システムの構成を示すブロック図
【図２】同実施の形態１の再送信装置におけるポート番号の切り換えに関するフローチャート
【図３】同実施の形態１の受信装置における緊急警報放送受信時の処理に関するフローチャート
【図４】同実施の形態１における緊急警報放送システムの概要を説明する図
【図５】同実施の形態１における再送信装置および受信装置の他の構成を示すブロック図
【図６】本発明の実施の形態２における再送信装置の構成を示すブロック図
【図７】同実施の形態２におけるポート番号の切り換えに関するフローチャート
【図８】本発明の実施の形態３におけるデジタル放送再送信システムの構成を示すブロック図
【図９】同実施の形態３の再送信装置における緊急警報通知コマンドの送信に関するフローチャート
【図１０】同実施の形態３の受信装置における緊急警報通知コマンドの受信に関するフローチャート
【図１１】従来技術におけるＴＳパケットの構成図
【図１２】従来技術におけるフレームの構成図
【図１３】従来技術におけるスーパーフレームの構成図
【図１４】従来技術における複数ＴＳ伝送方式の多重フレームヘッダの構成図
【図１５】従来技術におけるフレームヘッダの構成図
【符号の説明】
【００８３】
１００、５００、６００、８００  再送信装置
１０１  受信部
１０２  ＴＳ処理部
１０３、１１１、８１１  通信部
１０４  起動フラグ判定部
１０５  検出信号出力部
１０６  出力ポート制御部
１１０、５１０、８１０  受信装置
１１２  信号処理部
１１３  信号出力部
１１４  受信ポート判定部
１１５  緊急警報処理部
５０６  出力マルチキャストアドレス制御部
５１１  マルチキャストアドレス判定部
６０１  ＰＭＴ処理部
８０１  通信制御部
８０２  信号生成部
【図１】
2007259268.tif 000003
【図２】
2007259268.tif 000004
【図３】
2007259268.tif 000005
【図４】
2007259268.tif 000006
【図５】
2007259268.tif 000007
【図６】
2007259268.tif 000008
【図７】
2007259268.tif 000009
【図８】
2007259268.tif 000010
【図９】
2007259268.tif 000011
【図１０】
2007259268.tif 000012
【図１１】
2007259268.tif 000013
【図１２】
2007259268.tif 000014
【図１３】
2007259268.tif 000015
【図１４】
2007259268.tif 000016
【図１５】
2007259268.tif 000017